【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
複数のアンテナの各々からそれぞれ独立したチャネルの変調信号を送信する基地局の送信方法であって、
各アンテナから送信する複数の変調信号を形成し、
前記変調信号を受信する通信端末から、前記各変調信号が受信された際の受信信号強度を示す情報を含むフィードバック情報を受信し、
前記フィードバック情報に基づいて、前記各チャネルの送信電力を各チャネル独立に制御して、各アンテナから送信する変調信号の送信電力を各アンテナで独立に制御する
送信方法。
【請求項２】
前記フィードバック情報は、前記各変調信号が受信された際のチャネル変動値を示す情報をさらに含み、
前記送信電力の制御は、前記チャネル変動値を示す情報及び前記受信信号強度を示す情報に基づいて、前記各アンテナから送信する変調信号の送信電力を各アンテナ独立に制御する
請求項１に記載の送信方法。
【請求項３】
前記送信電力の制御は、前記複数の変調信号を合成することなく、各変調信号で独立に行う
請求項１又は２に記載の送信方法。
【請求項４】
前記変調信号は、ＯＦＤＭ方式により形成された信号である
請求項１乃至３いずれか一項に記載の送信方法。
【請求項５】
前記フィードバック情報は、各チャネル及び各キャリアごとの、前記チャネル変動値を示す情報及び前記受信信号強度を示す情報に基づく情報を含み、
前記送信電力の制御は、前記各チャネル及び各キャリアごとの、前記フィードバック情報に基づいて、各チャネル及び各サブキャリア独立に送信電力を制御する
請求項４に記載の送信方法。
【請求項６】
複数のアンテナの各々からそれぞれ独立したチャネルの変調信号を送信する基地局の送信装置であって、
各アンテナから送信する複数の変調信号を形成する複数の変調部と、
前記変調信号を受信する通信端末から、前記各変調信号が受信された際の受信信号強度を示す情報を含むフィードバック情報を受信する受信部と、
前記フィードバック情報に基づいて、前記各チャネルの送信電力を各チャネル独立に制御して、各アンテナから送信する変調信号の送信電力を各アンテナで独立に制御する送信電力制御部と、
送信電力が制御された前記変調信号を、各アンテナから送信する送信部と
を具備する送信装置。
【請求項７】
前記フィードバック情報は、前記各変調信号が受信された際のチャネル変動値を示す情報をさらに含み、
前記送信電力制御部は、前記チャネル変動値を示す情報及び前記受信信号強度を示す情報に基づいて、前記各アンテナから送信する変調信号の送信電力を各アンテナ独立に制御する
請求項６に記載の送信装置。
【請求項８】
前記送信電力制御部は、前記複数の変調信号を合成することなく、各変調信号で独立に行う
請求項６又は７に記載の送信装置。
【請求項９】
前記変調信号はＯＦＤＭ方式により形成された信号である
請求項６乃至８いずれか一項に記載の送信装置。
【請求項１０】
前記フィードバック情報は、各チャネル及び各キャリアごとの、前記チャネル変動値を示す情報及び前記受信信号強度を示す情報に基づく情報を含み、
前記送信電力制御部は、前記各チャネル及び各キャリアごとの、前記フィードバック情報に基づいて、各チャネル及び各サブキャリア独立に送信電力を制御する
請求項９に記載の送信装置。
【請求項１１】
基地局の複数のアンテナから送信され、互いに独立した複数の変調信号を、複数のアンテナで受信して各変調信号を復調する通信端末であって、
前記複数のアンテナで受信した各変調信号の受信電界強度を検出する受信電界強度検出部と、
受信した前記複数の変調信号それぞれのチャネル変動値を推定するチャネル変動推定部と、
前記チャネル変動値を要素とするチャネル変動行列を用いて前記変調信号の復調を行う復調部と、
前記受信電界強度検出部で検出した受信電界強度を示す情報と、前記チャネル変動推定部で推定したチャネル変動値を示す情報に基づいて、基地局へのフィードバック信号を生成するフィードバック信号生成部と
を具備する通信端末。
【手続補正２】
【補正対象書類名】明細書
【補正対象項目名】発明の名称
【補正方法】変更
【補正の内容】
【発明の名称】基地局の送信方法、基地局の送信装置及び通信端末
【手続補正３】
【補正対象書類名】明細書
【補正対象項目名】０００１
【補正方法】変更
【補正の内容】
【０００１】
本発明は、基地局の送信方法、基地局の送信装置及び通信端末に関し、特にマルチアンテナを用いた無線通信システムに適用される基地局の送信方法、基地局の送信装置及び通信端末に関するものである。
【手続補正４】
【補正対象書類名】明細書
【補正対象項目名】０００６
【補正方法】変更
【補正の内容】
【０００６】
本発明はかかる点を考慮してなされたもので、各変調信号の分離処理を含む復調精度を向上させて受信データの誤り率特性を向上し得る基地局の送信方法、基地局の送信装置及び通信端末を提供することを目的とする。
【手続補正５】
【補正対象書類名】明細書
【補正対象項目名】０００７
【補正方法】変更
【補正の内容】
【０００７】
本発明の基地局の送信方法の一つの態様は、複数のアンテナの各々からそれぞれ独立したチャネルの変調信号を送信する基地局の送信方法であって、各アンテナから送信する複数の変調信号を形成し、前記変調信号を受信する通信端末から、前記各変調信号が受信された際の受信信号強度を示す情報を含むフィードバック情報を受信し、前記フィードバック情報に基づいて、前記各チャネルの送信電力を各チャネル独立に制御して、各アンテナから送信する変調信号の送信電力を各アンテナで独立に制御する。
【手続補正６】
【補正対象書類名】明細書
【補正対象項目名】０００８
【補正方法】変更
【補正の内容】
【０００８】
本発明の基地局の送信装置の一つの態様は、複数のアンテナの各々からそれぞれ独立したチャネルの変調信号を送信する基地局の送信装置であって、各アンテナから送信する複数の変調信号を形成する複数の変調部と、前記変調信号を受信する通信端末から、前記各変調信号が受信された際の受信信号強度を示す情報を含むフィードバック情報を受信する受信部と、前記フィードバック情報に基づいて、前記各チャネルの送信電力を各チャネル独立に制御して、各アンテナから送信する変調信号の送信電力を各アンテナで独立に制御する送信電力制御部と、送信電力が制御された前記変調信号を、各アンテナから送信する送信部とを具備する構成を採る。
【手続補正７】
【補正対象書類名】明細書
【補正対象項目名】０００９
【補正方法】変更
【補正の内容】
【０００９】
本発明の通信端末の一つの態様は、基地局の複数のアンテナから送信され、互いに独立した複数の変調信号を、複数のアンテナで受信して各変調信号を復調する通信端末であって、前記複数のアンテナで受信した各変調信号の受信電界強度を検出する受信電界強度検出部と、受信した前記複数の変調信号それぞれのチャネル変動値を推定するチャネル変動推定部と、前記チャネル変動値を要素とするチャネル変動行列を用いて前記変調信号の復調を行う復調部と、前記受信電界強度検出部で検出した受信電界強度を示す情報と、前記チャネル変動推定部で推定したチャネル変動値を示す情報に基づいて、基地局へのフィードバック信号を生成するフィードバック信号生成部とを具備する構成を採る。
【手続補正８】
【補正対象書類名】明細書
【補正対象項目名】００１０
【補正方法】変更
【補正の内容】
【００１０】
本発明の基地局の送信装置の一つの態様によれば、各アンテナから送信する変調信号の送信電力を、通信端末からフィードバックされた各変調信号のチャネル変動値や受信電界強度等の情報に基づいて、各アンテナ独立に制御する。これにより、より的確に各変調信号の実効受信電力を変更することができるため、通信端末での各変調信号の復調精度を一段と向上させることができるようになる。
【手続補正９】
【補正対象書類名】明細書
【補正対象項目名】００１１
【補正方法】変更
【補正の内容】
【００１１】
本発明によれば、マルチアンテナを用いた無線通信システムにおいて、複数アンテナから送信された複数の変調信号の実効受信電力を考慮した復調処理及び送信処理を行うようにしたことにより、各変調信号の分離処理を含む復調の精度を向上させて受信データの誤り率特性を向上させることができる基地局の送信方法、基地局の送信装置及び通信端末を実現できる。